(57)【要約】【課題】Ｄａｙ／Ｎｉｇｈｔ用のレンズ装置とＤａｙ用のレンズ装置とを，撮像素子の厚みおよび結像位置の同じ条件で１つの撮像装置において使用する場合でも，同一の部材を用いてレンズ装置の結像位置を同じ位置に調整することが可能な，新規かつ改良された撮像装置を提供する。【解決手段】本発明の撮像装置１００は，撮像素子１１０と，光学ガラスと，撮像素子１１０と光学ガラスとの間に配置されたスペーサ１４０と，撮像素子１１０，光学ガラスおよびスペーサ１４０を保持する保持部材１５０とを備え，光学ガラスとして，光軸方向の厚みがｄ１の第１光学ガラス１２０Ａと，光軸方向の厚みがｄ２（ｄ２＜ｄ１）の第２光学ガラス１２０Ｂとを選択的に装着可能であり，保持部材１５０は，第１光学ガラス１２０Ａの外周部に当接する第１保持面１５２ａと，第２光学ガラス１２０Ｂの外周部に当接する第２保持面１５２ｂとを有する。【選択図】図１
2007264216.tif 000002
【特許請求の範囲】
【請求項１】
撮像素子と，光学ガラスと，前記撮像素子と前記光学ガラスとの間に配置されたスペーサと，前記撮像素子，前記光学ガラスおよび前記スペーサを保持する保持部材と，を備える撮像装置であって：
前記光学ガラスとして，光軸方向の厚みがｄ１の第１光学ガラスと，光軸方向の厚みがｄ１よりも薄いｄ２（ｄ２＜ｄ１）の第２光学ガラスとを選択的に装着可能であり，
前記保持部材は，
前記第１光学ガラスの外周部に当接する第１保持面と，
前記第２光学ガラスの外周部に当接し，前記第１保持面よりも前記撮像素子に近い側に位置する第２保持面と，
を有し，
前記第１光学ガラスを前記保持部材により保持する場合には，前記第１光学ガラスの外周部を前記第１保持面に当接させ，前記第２光学ガラスを前記保持部材により保持する場合には，前記第２光学ガラスの外周部を前記第２保持面に当接させることにより，光軸方向の厚みの異なる前記第１光学ガラスと前記第２光学ガラスを，同一の前記スペーサを用いて前記保持部材に保持可能であることを特徴とする，撮像装置。
【請求項２】
前記保持部材に段差部を設けることにより，前記第１保持面と前記第２保持面が形成されることを特徴とする，請求項１に記載の撮像装置。
【請求項３】
撮像素子と，光学ガラスと，前記撮像素子と前記光学ガラスとの間に配置されたスペーサと，前記撮像素子，前記光学ガラスおよび前記スペーサを保持する保持部材と，を備える撮像装置であって：
前記光学ガラスとして，光軸方向の厚みがｄ１の第１光学ガラスと，光軸方向の厚みがｄ１よりも薄いｄ２（ｄ２＜ｄ１）の第２光学ガラスとを選択的に装着可能であり，
前記スペーサは，
前記第１光学ガラスの外周部に当接する第１保持面と，
前記第２光学ガラスの外周部に当接し，前記第１保持面よりも前記撮像素子から遠い側に位置する第２保持面と，
を有し，
前記第１光学ガラスを前記保持部材により保持する場合には，前記第１光学ガラスの外周部を前記第１保持面に当接させ，前記第２光学ガラスを前記保持部材により保持する場合には，前記第２光学ガラスの外周部を前記第２保持面に当接させることにより，光軸方向の厚みの異なる前記第１光学ガラスと前記第２光学ガラスを，同一の前記スペーサを用いて前記保持部材に保持可能であることを特徴とする，撮像装置。
【請求項４】
前記スペーサに段差部を設けることにより，前記第１保持面と前記第２保持面が形成されることを特徴とする，請求項３に記載の撮像装置。
【請求項５】
前記スペーサに突出部を設けることにより，前記第１保持面と前記第２保持面が形成されることを特徴とする，請求項３に記載の撮像装置。
【発明の詳細な説明】
【技術分野】
【０００１】
本発明は，撮像装置に関し，特に，昼用のレンズ装置および昼夜兼用のレンズ装置の双方を装着可能な撮像装置に関する。
【背景技術】
【０００２】
一般に，レンズ装置の結像位置については，ダミーガラス，赤外光カットフィルタなどの光学ガラスの厚みの合計が同じであれば，結像位置も同じ位置となる。
【０００３】
また，監視カメラ等の昼夜兼用のテレビカメラ用のレンズ装置においては，使用される波長域に応じて結像位置を修正することが必要である。このような結像位置の修正のために，使用される波長域に応じて赤外カットフィルタの挿脱が必要となり，赤外カットフィルタとダミーガラスをレンズ装置の光学系の途中部分に配置する（例えば，特許文献１を参照）。
【０００４】
かかる昼夜兼用（以下，「Ｄａｙ／Ｎｉｇｈｔ用」という。）のレンズ装置と昼間専用（以下，「Ｄａｙ用」という。）のレンズ装置とを，撮像素子の厚みおよび結像位置の同じ条件で１つの撮像装置において使用する場合には，Ｄａｙ用のレンズ装置を装着した場合とＤａｙ／Ｎｉｇｈｔ用のレンズ装置を装着した場合とで，レンズ装置の結像位置が同じ位置となるように，結像位置の調整を行うことが必要となる。
【０００５】
具体的には，上述したように，レンズ装置の結像位置は，光学ガラスの厚みの合計により決まるので，Ｄａｙ／Ｎｉｇｈｔ用のレンズ装置を装着した場合に，Ｄａｙ用のレンズ装置を装着した場合と同一の結合位置にするためには，赤外光カットフィルタの分の光学ガラスの厚みが撮像装置外に存在することから，撮像装置内のダミーガラスなどの光学ガラス厚をＤａｙ用のレンズ装置の場合よりも薄くする必要がある。
【０００６】
【特許文献１】特開２００４−３４７６２４号公報
【発明の開示】
【発明が解決しようとする課題】
【０００７】
しかしながら，このように撮像装置内のダミーガラスなどの光学ガラス厚を薄くした場合には，撮像素子とダミーガラスとの間の光軸方向の長さが大きくなるため，例えば，撮像素子とダミーガラスとの間に配置されるスペーサとして，光軸方向の厚みの異なるものを使用しなければならない等，同一の部材を使用することができず，部品数が増加するという問題があった。
【０００８】
そこで，本発明は，このような問題に鑑みてなされたもので，その目的は，Ｄａｙ／Ｎｉｇｈｔ用のレンズ装置とＤａｙ用のレンズ装置とを，撮像素子の厚みおよび結像位置の同じ条件で１つの撮像装置において使用する場合でも，同一の部材を用いてレンズ装置の結像位置を同じ位置に調整することが可能な，新規かつ改良された撮像装置を提供することにある。
【課題を解決するための手段】
【０００９】
上記課題を解決するために，本発明のある観点によれば，撮像素子と，光学ガラスと，撮像素子と光学ガラスとの間に配置されたスペーサと，撮像素子，光学ガラスおよびスペーサを保持する保持部材と，を備える撮像装置であって，光学ガラスとして，光軸方向の厚みがｄ１の第１光学ガラスと，光軸方向の厚みがｄ１よりも薄いｄ２（ｄ２＜ｄ１）の第２光学ガラスとを選択的に装着可能であり，保持部材は，第１光学ガラスの外周部に当接する第１保持面と，第２光学ガラスの外周部に当接し，第１保持面よりも撮像素子に近い側に位置する第２保持面と，を有する撮像装置が提供される。
【００１０】
かかる撮像装置において，第１光学ガラスを保持部材により保持する場合には，第１光学ガラスの外周部を第１保持面に当接させ，第２光学ガラスを保持部材により保持する場合には，第２光学ガラスの外周部を第２保持面に当接させる。これにより，光軸方向の厚みの異なる第１光学ガラスと第２光学ガラスを，同一のスペーサを用いて保持部材に保持することができる。
【００１１】
したがって，上記撮像装置によれば，撮像素子の光軸方向の厚みおよび撮像素子の結像位置が同一であれば，光軸方向の厚みの異なる２種類のダミーガラスを，同一のスペーサを用いた場合でも，レンズ装置の結像位置を変化させることなく，同一の保持部材に保持することができる。
【００１２】
ここで，上記撮像装置において，保持部材に段差部を設けることにより，第１保持面と第２保持面が形成されるように構成することができる。
【００１３】
上記課題を解決するために，本発明の別の観点によれば，撮像素子と，光学ガラスと，撮像素子と光学ガラスとの間に配置されたスペーサと，撮像素子，光学ガラスおよびスペーサを保持する保持部材と，を備える撮像装置であって，光学ガラスとして，光軸方向の厚みがｄ１の第１光学ガラスと，光軸方向の厚みがｄ１よりも薄いｄ２（ｄ２＜ｄ１）の第２光学ガラスとを選択的に装着可能であり，スペーサは，第１光学ガラスの外周部に当接する第１保持面と，第２光学ガラスの外周部に当接し，第１保持面よりも撮像素子から遠い側に位置する第２保持面と，を有する撮像装置が提供される。
【００１４】
かかる撮像装置において，第１光学ガラスを保持部材により保持する場合には，第１光学ガラスの外周部を第１保持面に当接させ，第２光学ガラスを保持部材により保持する場合には，第２光学ガラスの外周部を第２保持面に当接させる。これにより，光軸方向の厚みの異なる第１光学ガラスと第２光学ガラスを，同一のスペーサを用いて保持部材に保持することができる。
【００１５】
したがって，上記撮像装置によれば，撮像素子の光軸方向の厚みおよび撮像素子の結像位置が同一であれば，光軸方向の厚みの異なる２種類のダミーガラスを，同一のスペーサを用いた場合でも，レンズ装置の結像位置を変化させることなく，同一の保持部材に保持することができる。
【００１６】
ここで，スペーサに段差部を設けたり，スペーサに突出部を設けたりすることにより，第１保持面と第２保持面が形成されるように構成することができる。
【発明の効果】
【００１７】
本発明によれば，Ｄａｙ／Ｎｉｇｈｔ用のレンズ装置とＤａｙ用のレンズ装置とを，撮像素子の厚みおよび結像位置の同じ条件で１つの撮像装置において使用する場合でも，同一の部材を用いてレンズ装置の結像位置を同じ位置に調整することが可能な撮像装置を提供することができる。
【発明を実施するための最良の形態】
【００１８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１９】
（従来の撮像装置の構成）
まず，図１に基づいて，従来の撮像装置１０の概略的な構成について説明する。なお，図１は，従来の撮像装置１０および撮像装置１０に装着されたレンズ装置２０の構成を示す断面図である。
【００２０】
図１に示すように，撮像装置１０は，撮像素子の一例としてのＣＣＤ１１と，ダミーガラス１２と，ＣＣＤ１１とダミーガラス１２との間に配置されたスペーサ１４と，ＣＣＤ１１，ダミーガラス１２およびスペーサ１４を保持する保持部材としてのホルダ１５と，ホルダ１５に保持されたＣＣＤ１１をレンズ装置２０の他側から支持するＣＣＤ支持基板１６と，を主に備える。
【００２１】
ホルダ１５内においては，ダミーガラス１２，スペーサ１４およびＣＣＤ１１が，撮像装置１０の前側（レンズ装置２０側）から順に，光軸Ｐ方向に沿って並んで配置されている。また，ＣＣＤ１１は，ＣＣＤ支持基板１６に取り付けられている。また，ダミーガラス１２は，ホルダ１５内において，スペーサ１４とホルダ１５の前端部１５ａとにより挟持されることにより保持されている。
【００２２】
レンズ装置２０は，レンズ鏡胴２２内に，複数の，例えば２枚の光学レンズ２４，２６が光軸Ｐ方向に並んで配置され，レンズ光学系を構成している。また，光学レンズ２４，２６の後方（撮像装置１０側）には，光軸Ｐ方向に沿って，赤外光カットフィルタ１３が配置されている。なお，レンズ装置２０は，Ｄａｙ／Ｎｉｇｈｔ用のレンズ装置として構成されているが，撮像装置１０には，Ｄａｙ用のレンズ装置（図示せず）も装着することができ，この場合には，レンズ装置内に赤外光カットフィルタ１３は配置されない。
【００２３】
かかるレンズ装置２０の前面側から受光した光は，光学レンズ２４，２６，赤外光カットフィルタ１３およびダミーガラス１２を順に通過して集光され，ＣＣＤ１１の受光面で結像するように調整されている。
【００２４】
次に，なお，図２は，従来の撮像装置１０の要部を拡大した拡大断面図であり，（ａ）はＤａｙ用のレンズ装置を装着した場合を示し，（ｂ）はＤａｙ／Ｎｉｇｈｔ用のレンズ装置２０を装着した場合を示している。
【００２５】
図２（ａ）に示すように，Ｄａｙ用のレンズ装置を装着した場合には，上述したように，ＣＣＤ１１は，ＣＣＤ支持基板１６に取り付けられている。また，光軸Ｐ方向の厚みがｄ１のダミーガラス１２Ａは，ホルダ１５内において，スペーサ１４Ａとホルダ１５の前端部１５ａとにより挟持されることにより保持されている。
【００２６】
一方，図２（ｂ）に示すように，Ｄａｙ／Ｎｉｇｈｔ用のレンズ装置２０を装着した場合には，ＣＣＤ１１は，ＣＣＤ支持基板１６に取り付けられている。また，ダミーガラス１２Ｂは，ホルダ１５内において，スペーサ１４Ｂとホルダ１５の前端部１５ａとにより挟持されることにより保持されている。
【００２７】
ただし，Ｄａｙ／Ｎｉｇｈｔ用のレンズ装置２０を装着した場合は，ホルダ１５外に赤外光カットフィルタ１５が光軸Ｐ上に配置されている。したがって，同じ厚みおよび結像位置のＣＣＤ１１を使用する場合に，レンズ装置の結像位置をＣＣＤ１１の受光面上とするために，ホルダ１５内のダミーガラス１２Ｂの光軸Ｐ方向の厚みは，ダミーガラス１２Ａの厚みｄ１よりも薄いｄ２となっている。このダミーガラス１２Ｂの厚みｄ２は，光学ガラスの全厚みが，Ｄａｙ用のレンズ装置を装着した場合とＤａｙ／Ｎｉｇｈｔ用のレンズ装置２０を装着した場合とで同じになるように，赤外光カットフィルタ１３の厚み（ｄ１−ｄ２）分だけ薄くなっている。このため，従来の撮像装置１０においては，薄いダミーガラス１２Ｂをホルダ１５内で保持するために，スペーサ１４Ａよりも光軸Ｐ方向の厚みの厚いスペーサ１４Ｂを使用しなければならず，同一の部材を使用できないため，部品数が増加するという問題があった。
【００２８】
そこで，本発明に係る撮像装置においては，Ｄａｙ用のレンズ装置とＤａｙ／Ｎｉｇｈｔ用のレンズ装置のいずれを装着した場合でも，同一の部材を用いて，レンズ装置の結像位置を同じ位置に調整できるように，その構造を工夫している。以下，このような本発明に係る撮像装置を，３つの実施形態を例に挙げて具体的に説明する。なお，以下に説明する本発明の第１〜第３の実施形態に係る撮像装置の構成は，その要部の構成のみが異なり，図１に基づいて説明したような全体的な構成については従来の撮像装置１０と同様であるので，要部以外の構成の詳細な説明については省略する。
【００２９】
（第１の実施形態）
まず，図３に基づいて，本発明の第１の実施形態に係る撮像装置１００の構成について説明する。なお，図３は，本実施形態に係る撮像装置１００の要部を拡大した拡大断面図であり，（ａ）はＤａｙ用のレンズ装置を装着した場合を示し，（ｂ）はＤａｙ／Ｎｉｇｈｔ用のレンズ装置を装着した場合を示している。
【００３０】
図３に示すように，撮像装置１００は，撮像素子の一例としてのＣＣＤ１１０と，ダミーガラス１２０Ａ（または１２０Ｂ）と，ＣＣＤ１１０とダミーガラス１２０Ａ（または１２０Ｂ）との間に配置されたスペーサ１４０と，ＣＣＤ１１０，ダミーガラス１２０Ａ（または１２０Ｂ）およびスペーサ１４０を保持する保持部材としてのホルダ１５０と，ＣＣＤ１１０が取り付けられたＣＣＤ支持基板１６０と，を主に備える。
【００３１】
ホルダ１５０内においては，ダミーガラス１２０Ａ（または１２０Ｂ），スペーサ１４０およびＣＣＤ１１０が，撮像装置１００の前側（レンズ装置側）から順に，光軸Ｐ方向に沿って並んで配置されている。また，ＣＣＤ１１０は，ＣＣＤ支持基板１６０に取り付けられている。また，ダミーガラス１２０Ａ（または１２０Ｂ）は，ホルダ１５０内において，スペーサ１４０とホルダ１５０の前端部１５０ａとにより挟持されることにより保持されている。
【００３２】
また，撮像装置１００は，ダミーガラスとして，光軸方向の厚みがｄ１のダミーガラス１２０Ａと，光軸方向の厚みがｄ１よりも薄いｄ２（ｄ２＜ｄ１）のダミーガラス１２０Ｂとを選択的に装着することができる。ここで，ダミーガラス１２０Ａは，Ｄａｙ用のレンズ装置を装着した場合に使用され，ダミーガラス１２０Ｂは，Ｄａｙ／Ｎｉｇｈｔ用のレンズ装置を装着した場合に使用される。なお，ダミーガラス１２０Ｂの方が，ダミーガラス１２０Ａよりも厚みが薄いのは，Ｄａｙ／Ｎｉｇｈｔ用のレンズ装置を装着する場合には，ＩＲカットフィルタ１３０がレンズ装置に装着されることから，レンズ装置の結像位置を同一にするためには，光学ガラスの全厚みが同一になるようにダミーガラスの厚みをＩＲカットフィルタ１３０の厚み分だけ薄くする必要があるからである。
【００３３】
本実施形態に係る撮像装置１００は，このように厚みの異なる２種類のダミーガラス１２０Ａ，１２０Ｂと使用した場合に，同一の部材を用いて，レンズ装置の結像位置を同じ位置に調整できるように，ホルダ１５０の形状を工夫している。すなわち，ホルダ１５０の前端部１５０ａのホルダ内面側に，段差部１５２を設けることにより，光軸Ｐ方向の厚みの異なる２種類のダミーガラス１２０Ａ，１２０Ｂを，同一のスペーサ１４０を用いてホルダ１５０に保持可能なように構成している。以下，この点について，さらに詳細に説明する。
【００３４】
図３（ａ），（ｂ）に示すように，ホルダ１５０の前端部１５０ａのホルダ内面側には，段差部１５２が形成されている。この段差部１５２は，その高さ（光軸Ｐ方向の厚み）が，ダミーガラス１２０Ａの光軸Ｐ方向の厚みｄ１と，ダミーガラス１２０Ｂの光軸Ｐ方向の厚みｄ２（ｄ２＜ｄ１）との差ｄ１−ｄ２に等しくなるように形成されている。かかる段差部１５２を設けることにより，第１保持面１５２ａと，第１保持面１５２ａよりもＣＣＤ１１０に近い側に位置する第２保持面１５２ｂが形成される。
【００３５】
撮像装置１００に，Ｄａｙ用のレンズ装置を装着する場合には，図３（ａ）に示すように，第１保持面１５２ａがダミーガラス１２０Ａの外周部に当接する。そして，ダミーガラス１２０Ａは，第１保持面１５２ａとスペーサ１４０とにそれぞれ当接することにより，スペーサ１４０とホルダ１５０の前端部１５０ａとにより挟持される。
【００３６】
一方，撮像装置１００に，Ｄａｙ／Ｎｉｇｈｔ用のレンズ装置を装着する場合には，図３（ｂ）に示すように，第２保持面１５２ｂがダミーガラス１２０Ｂの外周部に当接する。そして，ダミーガラス１２０Ｂは，第２保持面１５２ｂとスペーサ１４０とにそれぞれ当接することにより，スペーサ１４０とホルダ１５０の前端部１５０ａとにより挟持される。
【００３７】
このようにして，ＣＣＤ１１０の光軸Ｐ方向の厚みおよびＣＣＤ１１０の結像位置が同一であれば，光軸Ｐ方向の厚みの異なるダミーガラス１２０Ａとダミーガラス１２０Ｂを，同一のスペーサ１４０を用いた場合でも，レンズ装置の結像位置を変化させることなく，同一のホルダ１５０に保持することができる。
【００３８】
次に，図４Ａおよび図４Ｂに基づいて，本実施形態に係る撮像装置１００のホルダ１５０について，具体的な構成例を示して説明する。なお，図４Ａは，本実施形態に係る撮像装置１００のホルダ１５０の具体的な構成例を示す斜視図であり，（ａ）はダミーガラス１２０Ａ（または１２０Ｂ）装着前の状態を示し，（ｂ）および（ｃ）は，それぞれ，ダミーガラス１２０Ａおよび１２０Ｂ装着後の状態を示している。また，図４Ｂ（ａ）は図４Ａ（ｂ）をＩ−Ｉ線で切断した断面図であり，図４Ｂ（ｂ）は図４Ａ（ｃ）をＩＩ−ＩＩ線で切断した断面図である。
【００３９】
図４Ａ（ａ）に示すように，ホルダ１５０は，ダミーガラスとして，光軸方向の厚みがｄ１のダミーガラス１２０Ａと，光軸方向の厚みがｄ１よりも薄いｄ２のダミーガラス１２０Ｂとを選択的に装着して保持することができる。
【００４０】
このように，光軸方向の厚みの異なる２種類のダミーガラスを保持するために，ホルダ１５０の内部１５４には，ダミーガラス１２０Ａを載置して保持可能な第１保持面１５２ａが形成され，この第１保持面１５２ａ上の外縁部に段差部１５２が設けられている。この例においては，段差部１５２は，略矩形状に形成された第１保持面１５２ａの４辺に２つずつ設けられているが，段差部１５２の設けられる位置および数は特に限定されない。また，この段差部１５２の上面（レンズ装置側の面）が第２保持面１５２ｂを構成しており，ダミーガラス１２０Ｂが載置されて保持される。また，ホルダ１５０の内部１５４には，ダミーガラス１２０Ｂをその側面から支持するガラス支持部材１５６が設けられている。
【００４１】
以下，ホルダ１５０にダミーガラス１２０Ａ，１２０Ｂが装着された状態について説明する。
【００４２】
第１に，光軸方向の厚みが厚い（厚みｄ１），すなわち，Ｄａｙ用のレンズ装置を撮像装置に装着する際に使用するダミーガラス１２０Ａをホルダ１５０により保持する場合には，図４Ａ（ｂ）および図４Ｂ（ａ）に示すように，ダミーガラス１２０Ａの外周部が第１保持面１５２ａ上に当接するように，ダミーガラス１２０Ａをホルダ１５０に装着する。このとき，ダミーガラス１２０Ａは，レンズ装置他側の面が第１保持面１５２ａに当接し，側面を段差部１５２により支持された状態となっている。
【００４３】
第２に，光軸方向の厚みが薄い（厚みｄ２），すなわち，Ｄａｙ／Ｎｉｇｈｔ用のレンズ装置を撮像装置に装着する際に使用するダミーガラス１２０Ｂをホルダ１５０により保持する場合には，図４Ａ（ｃ）および図４Ｂ（ｂ）に示すように，ダミーガラス１２０Ｂの外周部が第２保持面１５２ｂ上に当接するように，ダミーガラス１２０Ｂをホルダ１５０に装着する。このとき，ダミーガラス１２０Ｂは，レンズ装置他側の面が第２保持面１５２ｂに当接し，側面をガラス支持部材１５６により支持された状態となっている。
【００４４】
ここで，２種類のダミーガラス１２０Ａ，１２０Ｂのうち，いずれのダミーガラスをホルダ１５０に装着した場合でも，段差部１５２の存在により，ダミーガラスのレンズ装置側の光軸上の位置を同一にすることができるので，同一のスペーサ（例えばスペーサ１４０）を使用して，２種類のダミーガラス１２０Ａ，１２０Ｂを保持することができる。
【００４５】
（第２の実施形態）
以上，本発明の第１の実施形態に係る撮像装置１００について説明したが，次に，本発明の第２の実施形態に係る撮像装置２００について説明する。本実施形態に係る撮像装置２００は，上述した第１の実施形態の場合と異なり，ホルダ２５０ではなく，スペーサ２４０に段差部２４２を設けることにより，光軸方向の厚みの異なる２種類のダミーガラス２２０Ａ，２２０Ｂを同一のスペーサ２４０を用いて同一のホルダ２５０で保持する。
【００４６】
以下，図５に基づいて，本発明の第２の実施形態に係る撮像装置２００の構成について説明する。なお，図５は，本実施形態に係る撮像装置２００の要部を拡大した拡大断面図であり，（ａ）はＤａｙ用のレンズ装置を装着した場合を示し，（ｂ）はＤａｙ／Ｎｉｇｈｔ用のレンズ装置を装着した場合を示している。また，（ｃ），（ｄ）は，それぞれ（ａ），（ｂ）におけるスペーサの平面図である。
【００４７】
図５に示すように，撮像装置２００は，撮像素子の一例としてのＣＣＤ２１０と，ダミーガラス２２０Ａ（または２２０Ｂ）と，ＣＣＤ２１０とダミーガラス２２０Ａ（または２２０Ｂ）との間に配置されたスペーサ２４０と，ＣＣＤ２１０，ダミーガラス２２０Ａ（または２２０Ｂ）およびスペーサ２４０を保持する保持部材としてのホルダ２５０と，ＣＣＤ２１０が取り付けられたＣＣＤ支持基板２６０と，を主に備える。
【００４８】
ホルダ２５０内においては，ダミーガラス２２０Ａ（または２２０Ｂ），スペーサ２４０およびＣＣＤ２１０が，撮像装置２００の前側（レンズ装置側）から順に，光軸Ｐ方向に沿って並んで配置されている。また，ＣＣＤ２１０は，ＣＣＤ支持基板２６０に取り付けられている。また，ダミーガラス２２０Ａ（または２２０Ｂ）は，ホルダ２５０内において，スペーサ２４０とホルダ２５０の前端部とにより挟持されることにより保持されている。
【００４９】
また，撮像装置２００は，ダミーガラスとして，光軸方向の厚みがｄ１のダミーガラス２２０Ａと，光軸方向の厚みがｄ１よりも薄いｄ２（ｄ２＜ｄ１）のダミーガラス２２０Ｂとを選択的に装着することができる。ここで，ダミーガラス２２０Ａは，Ｄａｙ用のレンズ装置を装着した場合に使用され，ダミーガラス２２０Ｂは，Ｄａｙ／Ｎｉｇｈｔ用のレンズ装置を装着した場合に使用される。なお，ダミーガラス２２０Ｂの方が，ダミーガラス２２０Ａよりも厚みが薄いのは，Ｄａｙ／Ｎｉｇｈｔ用のレンズ装置を装着する場合には，ＩＲカットフィルタ２３０がレンズ装置に装着されることから，レンズ装置の結像位置を同一にするためには，光学ガラスの全厚みが同一になるようにダミーガラスの厚みをＩＲカットフィルタ２３０の厚み分だけ薄くする必要があるからである。
【００５０】
本実施形態に係る撮像装置２００は，このように厚みの異なる２種類のダミーガラス２２０Ａ，２２０Ｂと使用した場合に，同一の部材を用いて，レンズ装置の結像位置を同じ位置に調整できるように，スペーサ２４０の形状を工夫している。すなわち，スペーサ２４０のレンズ装置側（ダミーガラス側）に段差部２４２を設けることにより，光軸Ｐ方向の厚みの異なる２種類のダミーガラス２２０Ａ，２２０Ｂを，同一のスペーサ２４０を用いてホルダ２５０に保持可能なように構成している。以下，この点について，さらに詳細に説明する。
【００５１】
図５（ａ），（ｂ）に示すように，スペーサ２４０のレンズ装置側（ダミーガラス側）には，段差部２４２が形成されている。この段差部２４２は，その高さ（光軸Ｐ方向の厚み）が，ダミーガラス２２０Ａの光軸Ｐ方向の厚みｄ１と，ダミーガラス２２０Ｂの光軸Ｐ方向の厚みｄ２（ｄ２＜ｄ１）との差ｄ１−ｄ２に等しくなるように形成されている。かかる段差部２４２を設けることにより，第１保持面２４２ａと，第１保持面２４２ａよりもＣＣＤ２１０から遠い側に位置する第２保持面２４２ｂが形成される。
【００５２】
撮像装置２００に，Ｄａｙ用のレンズ装置を装着する場合には，図５（ａ）および図５（ｃ）に示すように，第１保持面２４２ａがダミーガラス２２０Ａの外周部に当接する。その結果，ダミーガラス２２０Ａは，第１保持面２４２ａとホルダ２５０の前端部とにより挟持される。
【００５３】
一方，撮像装置２００に，Ｄａｙ／Ｎｉｇｈｔ用のレンズ装置を装着する場合には，図５（ｂ）および図５（ｄ）に示すように，第２保持面２４２ｂがダミーガラス２２０Ｂの外周部に当接する。その結果，ダミーガラス２２０Ｂは，第２保持面２４２ｂとホルダ２５０の前端部とにより挟持される。
【００５４】
このようにして，ＣＣＤ２１０の光軸Ｐ方向の厚みおよびＣＣＤ２１０の結像位置が同一であれば，光軸Ｐ方向の厚みの異なるダミーガラス２２０Ａとダミーガラス２２０Ｂを，同一のスペーサ２４０を用いた場合でも，レンズ装置の結像位置を変化させることなく，同一のホルダ２５０に保持することができる。
【００５５】
上述した図５に示す例では，Ｄａｙ用のレンズ装置を装着する際とＤａｙ／Ｎｉｇｈｔ用のレンズ装置を装着する際とで，スペーサ２４０の光軸方向の向きは同一であるが，図６に示すように，Ｄａｙ用のレンズ装置を装着する際とＤａｙ／Ｎｉｇｈｔ用のレンズ装置を装着する際とで，スペーサ２４０の光軸方向の向きを前後逆向きにしてもよい。なお，図６は，本実施形態に係る撮像装置２００の要部を拡大した拡大断面図であり，（ａ）はＤａｙ用のレンズ装置を装着した場合を示し，（ｂ）はＤａｙ／Ｎｉｇｈｔ用のレンズ装置を装着した場合を示している。
【００５６】
この図６の例においては，Ｄａｙ／Ｎｉｇｈｔ用のレンズ装置を装着する際に，Ｄａｙ用のレンズを装着する場合とスペーサ２４０の光軸方向の向きを前後逆転させ，段差部２４２が形成された面の他側の面２４２ｃを第２保持面として用いている。すなわち，図６の例では，撮像装置２００に，Ｄａｙ／Ｎｉｇｈｔ用のレンズ装置を装着する場合には，図６（ｂ）に示すように，第２保持面２４２ｃがダミーガラス２２０Ｂの外周部に当接する。その結果，ダミーガラス２２０Ｂは，第２保持面２４２ｃとホルダ２５０の前端部とにより挟持される。
【００５７】
このように，図６の例のようにＤａｙ／Ｎｉｇｈｔ用のレンズ装置を装着する際にスペーサ２４０の光軸方向の向きを前後逆転させても，ＣＣＤ２１０の光軸Ｐ方向の厚みおよびＣＣＤ２１０の結像位置が同一であれば，光軸Ｐ方向の厚みの異なるダミーガラス２２０Ａとダミーガラス２２０Ｂを，同一のスペーサ２４０を用いた場合でも，レンズ装置の結像位置を変化させることなく，同一のホルダ２５０に保持することができる。
【００５８】
また，スペーサ２４０の段差部２４２が形成された面の他側の面２４２ｃを第２保持面として使用すると，第２保持面２４２ｃは，第２保持面２４２ｂよりもその表面積が大きく，内側の周縁部が第２保持面２４２ｂよりも光軸Ｐに近い側にあるため，ダミーガラス２２０Ｂの大きさ（例えば，直径）が小さい場合でも，ダミーガラス２２０Ｂを，スペーサ２４０を用いてホルダ２５０に保持することができる。
【００５９】
（第３の実施形態）
以上，本発明の第２の実施形態に係る撮像装置２００について説明したが，次に，本発明の第３の実施形態に係る撮像装置３００について説明する。本実施形態に係る撮像装置３００は，上述した第１および第２の実施形態の場合と異なり，ホルダ３５０ではなく，スペーサ３４０に突出部３４２を設けることにより，光軸方向の厚みの異なる２種類のダミーガラス３２０Ａ，３２０Ｂを同一のスペーサ３４０を用いて同一のホルダ２５０で保持する。
【００６０】
以下，図７に基づいて，本発明の第３の実施形態に係る撮像装置３００の構成について説明する。なお，図７は，本実施形態に係る撮像装置３００の要部を拡大した拡大断面図であり，（ａ）はＤａｙ用のレンズ装置を装着した場合を示し，（ｂ）はＤａｙ／Ｎｉｇｈｔ用のレンズ装置を装着した場合を示している。また，（ｃ）は，スペーサ３４０の斜視図である。
【００６１】
図７に示すように，撮像装置３００は，撮像素子の一例としてのＣＣＤ３１０と，ダミーガラス３２０Ａ（または３２０Ｂ）と，ＣＣＤ３１０とダミーガラス３２０Ａ（または３２０Ｂ）との間に配置されたスペーサ３４０と，ＣＣＤ３１０，ダミーガラス３２０Ａ（または３２０Ｂ）およびスペーサ３４０を保持する保持部材としてのホルダ３５０と，ＣＣＤ３１０が取り付けられたＣＣＤ支持基板３６０と，を主に備える。
【００６２】
ホルダ３５０内においては，ダミーガラス３２０Ａ（または３２０Ｂ），スペーサ３４０およびＣＣＤ３１０が，撮像装置３００の前側（レンズ装置側）から順に，光軸Ｐ方向に沿って並んで配置されている。また，ＣＣＤ３１０は，ＣＣＤ支持基板３６０に取り付けられている。また，ダミーガラス３２０Ａ（または３２０Ｂ）は，ホルダ３５０内において，スペーサ３４０とホルダ３５０の前端部とにより挟持されることにより保持されている。
【００６３】
また，撮像装置３００は，ダミーガラスとして，光軸方向の厚みがｄ１のダミーガラス３２０Ａと，光軸方向の厚みがｄ１よりも薄いｄ２（ｄ２＜ｄ１）のダミーガラス３２０Ｂとを選択的に装着することができる。ここで，ダミーガラス３２０Ａは，Ｄａｙ用のレンズ装置を装着した場合に使用され，ダミーガラス３２０Ｂは，Ｄａｙ／Ｎｉｇｈｔ用のレンズ装置を装着した場合に使用される。なお，ダミーガラス３２０Ｂの方が，ダミーガラス３２０Ａよりも厚みが薄いのは，Ｄａｙ／Ｎｉｇｈｔ用のレンズ装置を装着する場合には，ＩＲカットフィルタ３３０がレンズ装置に装着されることから，レンズ装置の結像位置を同一にするためには，光学ガラスの全厚みが同一になるようにダミーガラスの厚みをＩＲカットフィルタ３３０の厚み分だけ薄くする必要があるからである。
【００６４】
本実施形態に係る撮像装置３００は，このように厚みの異なる２種類のダミーガラス３２０Ａ，３２０Ｂと使用した場合に，同一の部材を用いて，レンズ装置の結像位置を同じ位置に調整できるように，スペーサ３４０の形状を工夫している。すなわち，スペーサ３４０のレンズ装置側（ダミーガラス側）に突出部３４２を設けることにより，光軸Ｐ方向の厚みの異なる２種類のダミーガラス３２０Ａ，３２０Ｂを，同一のスペーサ３４０を用いてホルダ３５０に保持可能なように構成している。以下，この点について，さらに詳細に説明する。
【００６５】
図７（ｂ），（ｃ）に示すように，スペーサ３４０のレンズ装置側（ダミーガラス側）には，突出部３４２が形成されている。この突出部３４２は，その高さ（光軸Ｐ方向の厚み）が，ダミーガラス３２０Ａの光軸Ｐ方向の厚みｄ１と，ダミーガラス３２０Ｂの光軸Ｐ方向の厚みｄ２（ｄ２＜ｄ１）との差ｄ１−ｄ２に等しくなるように形成されている。かかる突出部３４２を設けることにより，第１保持面３４２ａ，および第１保持面３４２ａよりもＣＣＤ３１０から遠い側に位置する第２保持面３４２ｂが形成される。すなわち，本実施形態においては，突出部３４２が設けられたスペーサ３４０の表面が第１保持面３４２ａとなり，突出部３４２の表面が第２保持面３４２ｂとなる。
【００６６】
撮像装置３００に，Ｄａｙ用のレンズ装置を装着する場合には，図７（ａ）に示すように，第１保持面３４２ａがダミーガラス３２０Ａの外周部に当接する。その結果，ダミーガラス３２０Ａは，第１保持面３４２ａとホルダ３５０の前端部とにより挟持される。
【００６７】
一方，撮像装置３００に，Ｄａｙ／Ｎｉｇｈｔ用のレンズ装置を装着する場合には，図７（ｂ）に示すように，第２保持面３４２ｂがダミーガラス３２０Ｂの外周部に当接する。その結果，ダミーガラス３２０Ｂは，第２保持面３４２ｂとホルダ３５０の前端部とにより挟持される。
【００６８】
ここで，図７（ｃ），図８Ａおよび図８Ｂに基づいて，ダミーガラス３２０Ａ，３２０Ｂとスペーサ３４０の具体例について説明する。なお，図８Ａは，図７（ｃ）に示したスペーサ３４０およびダミーガラス３２０Ａ，３２０Ｂの第１の例を示す平面図であり，図８Ｂは，図７（ｃ）に示したスペーサ３４０およびダミーガラス３２０Ａ，３２０Ｂの第２の例を示す平面図である。
【００６９】
本実施形態の第１の例において，Ｄａｙ用のレンズ装置を装着する場合，すなわち，ダミーガラス３２０Ａ（図８Ａ（ａ）に破線で示してある）を装着する場合には，図８Ａ（ａ）に示すように，例えば，左右に２つずつ配置された突出部材３４２間の間隔（図８Ａの横方向の間隔）よりも狭い幅（図８Ａの横方向の長さ）を有するダミーガラス３２０Ａを用いて，ダミーガラス３２０Ａがスペーサ３４０の第１保持面３４２ａに当接するように装着される。
【００７０】
一方，本実施形態の第１の例において，Ｄａｙ用のレンズ装置を脱着し，Ｄａｙ／Ｎｉｇｈｔ用のレンズ装置を装着する場合には，図８Ａ（ｂ）に示すように，例えば，図８Ａ（ａ）に示した状態からスペーサ３４０を９０°回転させ，この状態で，ダミーガラス３２０Ｂ（図８Ａ（ｂ）に破線で示してある）の４隅が４つの突出部材３４２の表面である第２保持面３４２ｂに当接するように，ダミーガラス３２０Ｂが装着される。
【００７１】
また，本実施形態の第２の例において，Ｄａｙ用のレンズ装置を装着する場合，すなわち，ダミーガラス３２０Ａ（図８Ｂ（ａ）に破線で示してある）を装着する場合には，第１の例の場合と同様に，図８Ｂ（ａ）に示すように，例えば，左右に２つずつ配置された突出部材３４２間の間隔よりも狭い幅を有するダミーガラス３２０Ａを用いて，ダミーガラス３２０Ａがスペーサ３４０の第１保持面３４２ａに当接するように装着される。
【００７２】
一方，本実施形態の第２の例において，Ｄａｙ用のレンズ装置を脱着し，Ｄａｙ／Ｎｉｇｈｔ用のレンズ装置を装着する場合には，図８Ｂ（ｂ）に示すように，例えば，左右に２つずつ配置された突出部材３４２間の間隔と同じか，それよいも広い幅を有するダミーガラス３２０Ｂ（図８Ｂ（ｂ）に破線で示してある）を用いて，ダミーガラス３２０Ｂの４隅あるいはその内側が４つの突出部材３４２の表面である第２保持面３４２ｂに当接するように，ダミーガラス３２０Ｂが装着される。
【００７３】
なお，突出部３４２の数や形状，突出部３４２が設けられる位置などについては，上述した例に限られず，特に限定はされない。
【００７４】
このようにして，ＣＣＤ３１０の光軸Ｐ方向の厚みおよびＣＣＤ３１０の結像位置が同一であれば，光軸Ｐ方向の厚みの異なるダミーガラス３２０Ａとダミーガラス３２０Ｂを，同一のスペーサ３４０を用いた場合でも，レンズ装置の結像位置を変化させることなく，同一のホルダ３５０に保持することができる。
【００７５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００７６】
例えば，上述した実施形態においては，撮像素子としてＣＣＤ１１０，２１０，３１０を用いた場合について説明したが，撮像素子としては，ＣＣＤに限られず，ＣＭＯＳを用いてもよい。
【００７７】
また，上述した実施形態においては，光学ガラスとして，ダミーガラス，ＩＲカットフィルタを含む場合について説明したが，光学ガラスとしては，これら以外にも，ＣＣＤのカバーガラスなどが含まれていてもよい。この場合は，光学ガラスの全厚みは，ダミーガラスの厚み，ＩＲカットフィルタの厚みおよびカバーガラスの厚みの合計となり，この合計がＤａｙ用のレンズ装置を装着した場合と，Ｄａｙ／Ｎｉｇｈｔ用のレンズ装置を装着した場合とで同一であればよい。
【図面の簡単な説明】
【００７８】
【図１】従来の撮像装置およびこの撮像装置に装着されたレンズ装置の構成を示す断面図である。
【図２】従来の撮像装置の要部を拡大した拡大断面図であり，（ａ）はＤａｙ用のレンズ装置を装着した場合を示し，（ｂ）はＤａｙ／Ｎｉｇｈｔ用のレンズ装置を装着した場合を示している。
【図３】本発明の第１の実施形態に係る撮像装置の要部を拡大した拡大断面図であり，（ａ）はＤａｙ用のレンズ装置を装着した場合を示し，（ｂ）はＤａｙ／Ｎｉｇｈｔ用のレンズ装置を装着した場合を示している。
【図４Ａ】本発明の第１の実施形態に係る撮像装置のホルダの具体的な構成例を示す斜視図であり，（ａ）はダミーガラス装着前の状態を示し，（ｂ）および（ｃ）はダミーガラス装着後の状態を示している。
【図４Ｂ】（ａ）は，図４Ａ（ｂ）をＩ−Ｉ線で切断した断面図であり，（ｂ）は，図４Ａ（ｃ）をＩＩ−ＩＩ線で切断した断面図である。
【図５】本発明の第２の実施形態に係る撮像装置の要部を拡大した拡大断面図であり，（ａ）はＤａｙ用のレンズ装置を装着した場合を示し，（ｂ）はＤａｙ／Ｎｉｇｈｔ用のレンズ装置を装着した場合を示している。また，（ｃ），（ｄ）は，それぞれ（ａ），（ｂ）におけるスペーサの平面図である。
【図６】本発明の第２の実施形態に係る撮像装置の要部を拡大した拡大断面図であり，（ａ）はＤａｙ用のレンズ装置を装着した場合を示し，（ｂ）はＤａｙ／Ｎｉｇｈｔ用のレンズ装置を装着した場合を示している。
【図７】本発明の第３の実施形態に係る撮像装置の要部を拡大した拡大断面図であり，（ａ）はＤａｙ用のレンズ装置を装着した場合を示し，（ｂ）はＤａｙ／Ｎｉｇｈｔ用のレンズ装置を装着した場合を示している。また，（ｃ）は，スペーサの斜視図である。
【図８Ａ】図７（ｃ）に示したスペーサおよびダミーガラスの第１の例を示す平面図である。
【図８Ｂ】図７（ｃ）に示したスペーサおよびダミーガラスの第２の例を示す平面図である。
【符号の説明】
【００７９】
１００      撮像装置
１１０      ＣＣＤ
１２０Ａ      ダミーガラス（Ｄａｙ用）
１２０Ｂ      ダミーガラス（Ｄａｙ／Ｎｉｇｈｔ用）
１３０      ＩＲカットフィルタ
１４０      スペーサ
１５０      ホルダ
１５２      段差部
１５２ａ      第１保持面
１５２ｂ      第２保持面
１６０      ＣＣＤ支持基板
２００      撮像装置
２１０      ＣＣＤ
２２０Ａ      ダミーガラス（Ｄａｙ用）
２２０Ｂ      ダミーガラス（Ｄａｙ／Ｎｉｇｈｔ用）
２３０      ＩＲカットフィルタ
２４０      スペーサ
２４２      段差部
２４２ａ      第１保持面
２４２ｂ      第２保持面
２４２ｃ      第２保持面
２５０      ホルダ
２６０      ＣＣＤ支持基板
３００      撮像装置
３１０      ＣＣＤ
３２０Ａ      ダミーガラス（Ｄａｙ用）
３２０Ｂ      ダミーガラス（Ｄａｙ／Ｎｉｇｈｔ用）
３３０      ＩＲカットフィルタ
３４０      スペーサ
３４２      突出部
３４２ａ      第１保持面
３４２ｂ      第２保持面
３５０      ホルダ
３６０      ＣＣＤ支持基板
【図１】
2007264216.tif 000003
【図２】
2007264216.tif 000004
【図３】
2007264216.tif 000005
【図４Ａ】
2007264216.tif 000006
【図４Ｂ】
2007264216.tif 000007
【図５】
2007264216.tif 000008
【図６】
2007264216.tif 000009
【図７】
2007264216.tif 000010
【図８Ａ】
2007264216.tif 000011
【図８Ｂ】
2007264216.tif 000012